(57)【特許請求の範囲】
【請求項１】
仏壇据付場所に所定の間隔を隔てて各々略垂直状態で載置可能な２本の支柱と、
前記２本の支柱の上端を着脱可能に連結する上部横渡ステイと、
前記２本の支柱に沿って上下に摺動可能に装着されたスライドブロックと、
前記両スライドブロックに着脱自在に係合し、仏壇の下面位置に横渡されて仏壇を吊り下げる吊り下げ手段と、
前記両スライドブロックに仏壇の重量よりも大きい付勢力を付与することにより前記両スライドブロックを所定の高さまで強制的に上昇させることができるとともに、前記付勢力を弱めることにより前記両スライドブロックを所定の高さまで下降させることができるスライドブロック移動手段と、
前記２本の支柱間に仏壇を略水平状態で移動させて搬入可能な搬入コンベアとを具備することを特徴とする仏壇据付装置。
【請求項２】
前記上部横渡ステイは、前記２本の支柱の間隔に応じて伸縮可能なことを特徴とする請求項１に記載の仏壇据付装置。
【請求項３】
前記吊り下げ手段は、長さ調整が可能なベルトと、前記ベルトの両端に装着され前記２本の支柱の両スライドブロックに係止可能なフックとを具備することを特徴とする請求項１または請求項２のいずれかに記載の仏壇据付装置。
【請求項４】
前記スライドブロック移動手段は、前記２本の支柱に各々装着された一定の可動ストロークを有する油圧シリンダに油圧ポンプを介して圧油を漸次供給することによって前記スライドブロックを所定の速度で上昇させることができ、前記油圧ポンプを介して前記油圧シリンダの圧油を漸次抜くことにより前記スライドブロックを所定の速度で下降させることができることを特徴とする請求項１乃至請求項３のいずれか１つに記載の仏壇据付装置。
【請求項５】
前記搬入コンベアは、仏壇を直線状に搬入可能なコンベアと、曲線状に搬入可能なコンベアとの２種類に分割されており、前記各コンベアの脚の長さ調整が可能であるとともに、前記脚が折畳可能なことを特徴とする請求項１乃至請求項４のいずれか１つに記載の仏壇据付装置。
【発明の詳細な説明】
【０００１】
【産業上の利用分野】
本発明は、仏壇据付装置に関するものであり、特に、仏間等の狭い据付場所に仏壇を容易に据付けることができる簡易な構造の仏壇据付装置に関するものである。
【０００２】
【従来の技術】
従来より、仏壇は重量的にも重く、その据付場所となる仏間等は比較的狭い。また、仏壇は高価であり、損傷しないように取扱う必要がある。更に、仏壇は仏間等へ何回も出入れするものでもなく、一旦据付ければ長期間に亘ってそのままの状態で使用される。
【０００３】
仏壇を仏間等に据付ける作業は、専ら専門の作業者に頼っており、通常、仏壇は仏壇載置台等に載置した状態で使用されるので、予め仏壇載置台等を仏間等の仏壇据付場所に置き、その上に仏壇を複数人で吊って載せるという力作業により、据付けを行なっている。
【０００４】
【発明が解決しようとする課題】
しかし、上記のように、重量物である仏壇を仏間等の狭い据付場所に据付けるのは極めて困難な作業であった。特に、仏間の広さに対して、余り余裕のない大きさの仏壇を据付ける場合には、作業者が仏間の壁と仏壇との隙間に入ることができないために、苦労して据付けていた。しかも、仏壇購買者は仏壇の購入に際し多額の金額を支払うために、余り無心経に扱うと、購買者の気分を害する虞れもあり、丁寧に扱う必要があった。したがって、仏壇の据付作業を容易にしたいという要求が強かった。
【０００５】
また、仏壇据付装置として、従来より各種の装置が考えられていたが、いずれも大掛りな装置であり、取扱いが必ずしも容易とはいえなかった。しかも、価格も高価なために、広く普及していなかった。
【０００６】
そこで、本発明は、簡易な構成で、仏壇を仏間等の比較的狭い据付場所であっても、極めて容易に、しかも丁寧に据付けることができる仏壇据付装置の提供を課題とするものである。
【０００７】
【課題を解決するための手段】
請求項１の発明にかかる仏壇据付装置は、仏壇据付場所に所定の間隔を隔てて各々略垂直状態で載置可能な２本の支柱と、前記２本の支柱の上端を着脱可能に連結する上部横渡ステイと、前記２本の支柱に沿って上下に摺動可能に装着されたスライドブロックと、前記両スライドブロックに着脱自在に係合し、仏壇の下面位置に横渡されて仏壇を吊り下げる吊り下げ手段と、前記両スライドブロックに仏壇の重量よりも大きい付勢力を付与することにより前記両スライドブロックを所定の高さまで強制的に上昇させることができるとともに、前記付勢力を弱めることにより前記両スライドブロックを所定の高さまで下降させることができるスライドブロック移動手段と、前記２本の支柱間に仏壇を略水平状態で移動させて搬入可能な搬入コンベアとを備えたものである。
【０００８】
ここで、２本の支柱は、据付対象である仏壇の横幅よりも多少大きな間隔を隔てて仏壇据付場所に載置され、２本の支柱の高さは据付状態の仏壇上面よりも高く、仏間の天井の高さよりも低い。また、両スライドブロックは、吊り下げ手段によって仏壇と仏壇載置台等との間に一定の隙間があく程度まで上昇し、仏壇を仏壇載置台等に載置した状態で吊り下げ手段をスライドブロックから取外すことができる高さまで下降する。
【０００９】
請求項２の発明にかかる仏壇据付装置は、請求項１の上部横渡ステイが、前記２本の支柱の間隔に応じて伸縮可能なものである。
【００１０】
請求項３の発明にかかる仏壇据付装置は、請求項１または請求項２の吊り下げ手段が、長さ調整が可能なベルトと、前記ベルトの両端に装着され前記２本の支柱の両スライドブロックに係止可能なフックとを備えたものである。
【００１１】
請求項４の発明にかかる仏壇据付装置は、請求項１乃至請求項３のスライドブロック移動手段が、前記２本の支柱に各々装着された一定の可動ストロークを有する油圧シリンダに油圧ポンプを介して圧油を漸次供給することによって前記スライドブロックを所定の速度で上昇させることができ、前記油圧ポンプを介して前記油圧シリンダの圧油を漸次抜くことにより前記スライドブロックを所定の速度で下降させることができるものである。
【００１２】
請求項５の発明にかかる仏壇据付装置は、請求項１乃至請求項４の搬入コンベアが、仏壇を直線状に搬入可能なコンベアと、曲線状に搬入可能なコンベアとの２種類に分割されており、前記各コンベアの脚の長さ調整が可能であるとともに、前記脚が折畳可能なものである。
【００１３】
【作用】
請求項１の発明の仏壇据付装置によれば、上端を上部横渡ステイで連結した２本の支柱を仏壇据付場所に据付対象である仏壇の横幅よりも多少大きな間隔を隔てて略垂直状態に載置し、この２本の支柱間に仏壇を搬入コンベアで搬入し、仏壇の下面位置に横渡した吊り下げ手段を両スライドブロックに係合させて、スライドブロック移動手段で各支柱の両スライドブロックを強制的に上昇させ、仏壇を仏壇載置台等の上面よりも高い位置まで上昇させて、搬入コンベアを取外し、仏壇載置台等を仏壇据付場所に据付け、スライドブロック移動手段で両スライドブロックを下降させて仏壇を仏壇載置台等の上まで下降させ、更に手動で両スライドブロックを下降させて吊り下げ手段を取外し、仏壇の下面から吊り下げ手段を抜去ることにより、仏壇を仏壇載置台等の上に載せた状態で仏壇据付場所に据付けることができる。
【００１４】
請求項２の発明の仏壇据付装置によれば、上部横渡ステイが２本の支柱の間隔に応じて伸縮可能なことにより、上端を上部横渡ステイで連結した２本の支柱を据付対象である仏壇の横幅等に応じた間隔で略垂直状態に載置できる。
【００１５】
請求項３の発明の仏壇据付装置によれば、仏壇の横幅等に応じてベルトの長さを調整できるとともに、仏壇の下面位置に容易に横渡すことができ、仏壇の下面から抜き取ることができる。しかもフックを両スライドブロックへ引掛けたり、外したりするだけで、両スライドブロックへの着脱が容易にできる。
【００１６】
請求項４の発明の仏壇据付装置によれば、一定の可動ストロークを有する油圧シリンダに油圧ポンプを介して圧油を漸次供給することによって前記スライドブロックを所定の速度で上昇させることができることにより、吊り下げ手段で仏壇を安定した状態で上昇させることができるとともに、前記油圧ポンプを介して前記油圧シリンダの圧油を漸次抜くことにより前記スライドブロックを所定の速度で下降させることができることにより、吊り下げ手段で仏壇を安定した状態で下降させることができる。
【００１７】
請求項５の発明の仏壇据付装置によれば、仏壇を直線状に搬入可能なコンベアと、曲線状に搬入可能なコンベアとの２種類に分割されていることにより、仏壇据付場所の一方が壁等の障害物となっている場合にも、仏壇を搬入し易い。また、各コンベアの脚の長さ調整が可能であることにより、仏壇載置台等の高さに応じて各コンベアの高さを調整できる。更に、各コンベアの脚が折畳可能なことにより、脚を折畳んだ状態で搬入コンベアを持運ぶことができる。
【００１８】
【実施例】
以下、本発明の実施例について説明をする。図１は本発明の一実施例である仏壇据付装置の全体構成を示す正面図、図２は本発明の一実施例である仏壇据付装置の全体構成を示す側面図、図３は本発明の一実施例である仏壇据付装置の全体構成を示す平面図である。
【００１９】
図１乃至図３に示すように、本実施例の仏壇据付装置は、大別して、２本の支柱２０、この２本の支柱２０の上端に位置する上部横渡ステイ３０、両支柱２０に各々装着されたスライドブロック２３、両スライドブロック２３に係合可能な吊り上げベルト４０、両スライドブロック２３を上昇及び下降させる油圧ポンプ１１及び油圧シリンダ２６等のスライドブロック移動手段からなる昇降装置１０と、両支柱２０間に仏壇１を搬入する搬入コンベア５０，６０とで構成されている。そして、図１のように仏壇１をセットした状態で、適宜仏壇１を上昇及び下降させて、仏壇１を据付けるものである。以下に、本実施例の仏壇据付装置の各構成要素について詳細に説明する。
【００２０】
図４は本発明の一実施例である仏壇据付装置の昇降装置１０を示す正面図、図５は本発明の一実施例である仏壇据付装置の昇降装置１０を示す側面図、図６は図５の昇降装置１０のＡ−Ａ断面を示す拡大断面図である。
【００２１】
図４乃至図６に示すように、支柱２０には、アルミニュウムの型材が使用されており、２本の支柱２０の上端部２０ａは上部横渡ステイ３０によって着脱可能に連結されている。また、各支柱２０の下端部２０ｂには、支柱２０と同様のアルミニュウムの型材からなる台座部材２１がアングル２２及びボルト等によって直角に固着されており、仏壇据付場所に支柱２０を比較的安定した状態で略垂直に立設できるようになっている。両支柱２０を上部横渡ステイ３０で連結した状態における高さは、仏壇１の上面よりも高く、仏壇据付場所である仏間等の床から天井までの高さよりも若干低い。
【００２２】
図７は昇降装置１０の上部横渡ステイ３０を示し、（ａ）はその拡大平面図であり、（ｂ）はその拡大正面図であり、図８は図７の上部横渡ステイ３０のＢ−Ｂ断面及びＣ−Ｃ断面を示す拡大断面図である。
【００２３】
図７及び図８に示すように、上部横渡ステイ３０は、アルミニュウムの型材からなる第１棒部材３１と同じくアルミニュウムの型材からなる第２棒部材３２とが連結板３５を介してスライド移動可能な状態で組付けられている。つまり、第１棒部材３１を貫通するボルト３６とナット３７によって連結板３５が第１棒部材３１の端部３１ａ寄りの位置に固着されているとともに、この第１棒部材３１に固着された連結板３５には、第２棒部材３２の溝部３２ｂに端部が挿入し、この溝部３２ｂに沿って移動可能な状態でボルト３８が螺着されている。また、第２棒部材３２を貫通するボルト３６とナット３７によって連結板３５が第２棒部材３２の端部３２ａ寄りの位置に固着されており、この第２棒部材３２に固着された連結板３５には、第１棒部材３１の溝部３１ｂに端部が挿入し、この溝部３１ｂに沿って移動可能な状態でボルト３８が螺着されている。そして、第１棒部材３１の端部３１ａ及び第２棒部材３２の端部３２ａには、支柱２０の上端部２０ａに着脱自在に装着可能な連結キャップ３３が、アングル３４を介してボルト等によって各々固着されている。
【００２４】
図６に示すように、両支柱２０には、スライドブロック２３が摺動可能な状態で装着されている。スライドブロック２３は、支柱２０の側端部２０ｃ，２０ｄを両側から挟込む端部材２３ａ，２３ｂを連結部材２３ｃで連結し、略コの字状を呈しており、両端部材２３ａ，２３ｂと連結部材２３ｃとはボルト等により一体化されている。スライドブロック２３の支柱２０との摺接部分には、スライドブロック２３の摺動を円滑化ならしめるために、滑り抵抗の小さな合成樹脂等からなる摺動スライダー２３ｄが介装されている。このスライドブロック２３の連結部材２３ｃと支柱２０との間には所定の隙間２３ｅが空いており、この連結部材２３ｃと隙間２３ｅとによって、後述する吊り上げベルト４０のフック４２を係止することができる。また、スライドブロック２３の連結部材２３ｃには、後述する油圧シリンダ２６の可動シャフト２６ａの先端を取付けるための取付部材２４が固着されている。
【００２５】
両スライドブロック２３の連結部材２３ｃには、各々吊り上げベルト４０の両端部を着脱可能に係止することができる。吊り上げベルト４０には、自動車のシートベルト等に使用される引張強度の大きなベルト４１が使用され、このベルト４１の一方の端部４１ａにはスライドブロック２３の連結部材２３ｃに着脱可能に引掛けることができるフック４２が装着されており、他方の端部４１ｂもスライドブロック２３の連結部材２３ｃに着脱可能に引掛けることができるフック４２が介装されているとともにバックル４３が介装されている。このバックル４３によって、吊り上げベルト４０の全長を仏壇１の大きさ等に応じて適宜調整することができる。
【００２６】
支柱２０の側端部２０ｄには、支持部材２５がボルト等により固着されており、この支持部材２５には油圧シリンダ２６の下端が固着されている。この油圧シリンダ２６にプラグ２７を介して圧油を出入れすることにより、油圧シリンダ２６の可動シャフト２６ａが所定のストロークで可動する。したがって、油圧シリンダ２６の可動シャフト２６ａのストロークがスライドブロック２３が支柱２０に沿って摺動する範囲である。
【００２７】
油圧シリンダ２６には、油圧ホース１６を介して油圧ポンプ１１が接続できる。つまり、油圧ホース１６の両端には、各々ソケット１７，１８が取付けられており、油圧ホース１６の一方のソケット１７を油圧シリンダ２６のプラグ２７に連結し、油圧ホース１６の他方のソケット１８を油圧ポンプ１１のプラグ１４，１５に各々連結することにより、油圧シリンダ２６と油圧ポンプ１１とを接続することができる。油圧ポンプ１１には速度調整弁１２，１３が配設されており、各油圧シリンダ２６への圧油の供給量を調整できるようになっている。油圧シリンダ２６のプラグ２７と油圧ホース１６のソケット１８とは着脱可能であり、共に自動開閉バルブを内蔵している。また、油圧ポンプ１１のプラグ１４，１５と油圧ホース１６のソケット１７とも着脱可能であり、共に自動開閉バルブを内蔵している。つまり、油圧シリンダ２６のプラグ２７と油圧ホース１６のソケット１８とを接続した状態では油圧シリンダ２６と油圧ホース１６との間で油の移動が可能であり、接続を解除した状態では油圧シリンダ２６及び油圧ホース１６から油が漏れない構造になっているとともに、油圧ポンプ１１のプラグ１４，１５と油圧ホース１６のソケット１７とを接続した状態では油圧ポンプ１１と油圧ホース１６との間で油の移動が可能であり、接続を解除した状態では油圧ポンプ１１及び油圧ホース１６から油が漏れない構造になっている。なお、この種の自動開閉バルブを内蔵したプラグ及びソケットは既に公知のものである。
【００２８】
図９は本発明の一実施例である仏壇据付装置の昇降装置１０の油圧系統を示す油圧回路図である。
【００２９】
図９に示すように、この昇降装置１０においては、油圧ポンプ１１と油圧シリンダ２６とを油圧ホース１６で接続し、油圧ポンプ１１のペタル１１ａを踏込むことにより、油圧シリンダ２６に圧油が供給され、油圧シリンダ２６の可動シャフト２６ａが油圧によって伸びる。つまり、ペタル１１ａを複数回踏込むことにより、可動シャフト２６ａがペタル１１ａの踏込み回数に応じて順次伸びる。また、ペタル１１ａを大きく踏込んだ状態にすることにより、油圧シリンダ２６の油は油圧ポンプ１１側へ戻ることが可能な状態になる。これらの油の移動速度等は、速度調整弁１２，１３を適宜調節することにより調整できる。
【００３０】
支柱２０の間に仏壇１を搬入するには、搬入コンベア５０，６０が使用され、本実施例では、図１乃至図３に示すように、仏壇１を直線状に搬入可能な搬入コンベア５０と、曲線状に搬入可能な搬入コンベア６０との２種類に分割されている。
【００３１】
図１０は本発明の一実施例である仏壇据付装置の搬入コンベア５０を示し、（ａ）はその側面図であり、（ｂ）はその正面図である。図１１は搬入コンベア５０，６０の脚部材の折畳動作途中を示す拡大側面図である。
【００３２】
仏壇１を直線状に搬入可能な搬入コンベア５０は、アルミニュウムのチャンネル材等からなる直線状のフレーム５１間に複数個の円筒状ころ５２が各々転動自在に装着されており、フレーム５１の四隅には脚部材５３が各々配設されている。この円筒状ころ５２の上面に仏壇１を載せて、フレーム５１の長手方向、即ち円筒状ころ５２の転動方向へ仏壇１を押すことにより、円筒状ころ５２が転動し、円筒状ころ５２の上面を仏壇１が略水平状態で直線状に移動する。左右の脚部材５３は連結棒５４で連結されているとともに、各脚部材５３は回動支点部５３ａを中心に折畳可能な状態でフレーム５１に取付けられている。つまり、各脚部材５３の中間位置には各々係合突起５３ｂが配設されており、この係合突起５３ｂがガイド部材５５のガイド孔５５ｂに案内されて摺動可能に組付けられている。ガイド部材５５も回動支点部５５ａを中心に折畳可能な状態でフレーム５１に取付けられている。したがって、脚部材５３を折畳んだ状態では、脚部材５３は図１０の二点鎖線のような状態になる。また、各脚部材５３の下端部５３ｃには高さ調整台座５６が各々配設されており、各高さ調整台座５６を脚部材５３に対して螺動させることによって、搬入コンベア５０の上面の高さ位置の調整を行なうことができる。
【００３３】
一方、仏壇１を曲線状に搬入可能な搬入コンベア６０は、曲線状のフレーム６１を使用している点で上記搬入コンベア５０と相違するものの、他の構成部分は略同一である。つまり、アルミニュウムのチャンネル材等からなる曲線状のフレーム６１間に複数個の円筒状ころ６２が各々転動自在に装着されており、フレーム６１の四隅には回動支点部６３ａを中心に折畳可能な脚部材６３が各々配設されている。左右の脚部材６３は連結棒６４で連結されており、各脚部材６３の中間位置に配設された係合突起６３ｂがガイド部材６５のガイド孔６５ｂに沿って摺動可能になっている。ガイド部材６５も回動支点部６５ａを中心に折畳可能な状態でフレーム６１に取付けられており、各脚部材６３の下端部６３ｃには高さ調整台座６６が各々配設されている。
【００３４】
ここで、上記構成の仏壇据付装置による仏壇１の据付作業について説明する。通常、仏壇１は仏壇載置台等に載置した状態で仏間に据付けられるので、ここでは仏壇載置台に載置される仏壇１を据付ける作業について説明する。なお、通常、仏壇載置台の横幅及び奥行も仏壇１と略同一の寸法となっている。
【００３５】
まず、２本の支柱２０の上端部２０ａを上部横渡ステイ３０で連結し、この２本の支柱２０を据付対象である仏壇１の横幅よりも多少大きな間隔を隔てて仏壇据付場所に略垂直状態に載置する。次に、各支柱２０の油圧シリンダ２６のプラグ２７に油圧ホース１６のソケット１８を連結するとともに、油圧ポンプ１１のプラグ１４，１５に油圧ホース１６のソケット１７を連結する。そして、各支柱２０に装着されているスライドブロック２３を移動可能な範囲内での最下端位置にする。つまり、油圧シリンダ２６の可動シャフト２６ａが一番縮んだ状態にする。
【００３６】
続いて、仏壇１を直線状に搬入する搬入コンベア５０及び曲線状に搬入する搬入コンベア６０を周囲の壁の配置等に応じて並べる。２本の支柱２０間には、仏壇１を直線状に搬入する搬入コンベア５０をセットし、この搬入コンベア５０の先端には曲線状に搬入する搬入コンベア６０を並べる。例えば、仏間の一方が壁面になっている場合には、曲線状に搬入する搬入コンベア６０の端部は壁面から遠ざかる方向となるようにセットする。これは、仏壇１を搬入コンベア６０の上に載置し易くするためであり、仏間の前が広く、壁等の障害物がない場合には、曲線状に搬入する搬入コンベア６０は必しも使用する必要性はない。なお、各搬入コンベア５０，６０の各高さ調整台座５６を調節して、両搬入コンベア５０，６０の上面が略均一高さとなるように調整する。また、両搬入コンベア５０，６０の高さは、通常、仏壇載置台の高さと略同一程度の高さとなっている。
【００３７】
仏壇据付装置を、このような状態にセットした後、搬入コンベア６０の上に据付対象である仏壇１を載せる。そして、搬入コンベア６０上の仏壇１を仏間方向へ押すことにより、搬入コンベア６０の円筒状ころ６２が転動し、仏壇１は水平状態でフレーム６１に沿って曲線状に移動する。更に、仏壇１を押すことにより、直線状の搬入コンベア５０に移り、搬入コンベア５０の端部近傍まで水平移動させて、仏壇１を２本の支柱２０の間に搬入する。なお、搬入コンベア６０の上に仏壇１を載せるとき、仏壇１の下面にベニヤ板等の薄板を敷設し、この薄板と仏壇１との間に吊り上げベルト４０のベルト４１を横渡しておくと、仏壇１を２本の支柱２０の間に搬入することにより、吊り上げベルト４０も自動的に支柱２０の横位置になるので都合がよい。
【００３８】
２本の支柱２０の間に仏壇１を搬入したならば、吊り上げベルト４０の両端部４１ａ，４１ｂのフック４２を各支柱２０のスライドブロック２３の連結部材２３ｃに各々引掛ける。そして、バックル４３によって、ベルト４１が余り弛みのない状態にし、吊り上げベルト４０の長さを調整する。
【００３９】
次に、油圧ポンプ１１のペタル１１ａを足で複数回繰返しポンピング状に踏込んで、油圧シリンダ２６の可動シャフト２６ａを順次伸ばし、スライドブロック２３を仏壇１の重量に抗して強制的に上昇させる。スライドブロック２３を順次上昇させることにより、仏壇１は吊り上げベルト４０に吊られて上昇する。仏壇１の下面が仏壇載置台の高さよりも或る程度高い位置まで上昇したところで、油圧ポンプ１１のペタル１１ａの踏込動作を止めて、スライドブロック２３の上昇を停止させる。この状態では、スライドブロック２３は仏壇１の重量により自動的に下降することはなく、仏壇１は吊り上げベルト４０で吊られたままの停止状態が維持される。
【００４０】
この後、搬入コンベア５０，６０を取外し、仏壇載置台を仏壇１の下方に据付ける。そして、油圧ポンプ１１のペタル１１ａを大きく踏込んだままにすることにより、仏壇１の重量によって、油圧シリンダ２６の圧油が次第に抜かれ、スライドブロック２３がゆっくりと下降する。こうして、仏壇１が順次下降し、仏壇載置台の上まで仏壇１が下がり、仏壇載置台の上に仏壇１が載る。この後も、引続き油圧ポンプ１１のペタル１１ａを大きく踏込んだ状態を維持し、スライドブロック２３を手で更に下方に押下げて、吊り上げベルト４０のフック４２をスライドブロック２３から取外す。仏壇１の下面の吊り上げベルト４０及び薄板は仏壇１の下面前端、或いは下面後端を支点にして仏壇１の上部を前方または後方へ傾斜させて抜去る。そして、仏壇載置台の上の仏壇１を前後左右方向に適宜ずらし、仏壇１と仏壇載置台とを確実に連結させる。
【００４１】
こうして、仏壇１を仏壇載置台の上に据付け、支柱２０及び上部横渡ステイ３０等の昇降装置１０を仏間から除去することにより、仏壇１の据付作業が完了する。
【００４２】
なお、仏壇１の据付作業が完了したならば、上部横渡ステイ３０と支柱２０との係合状態を解除し、油圧シリンダ２６のプラグ２７から油圧ホース１６のソケット１８を取外して、昇降装置１０を持運び容易な状態に分解して片付ける。また、搬入コンベア５０，６０も脚部材５３，６３を折畳んで、持運び容易な状態にして片付ける。
【００４３】
このように、本実施例の仏壇据付装置は、仏間等の仏壇据付場所に据付対象である仏壇１の横幅よりも多少大きな間隔を隔てて各々略垂直状態で載置可能な２本の支柱２０と、この２本の支柱２０の上端部２０ａを着脱可能に連結するとともに２本の支柱２０の間隔に応じて伸縮可能な上部横渡ステイ３０と、２本の支柱２０に各々装着され、支柱２０に沿って上下に摺動可能なスライドブロック２３と、この両スライドブロック２３に着脱自在に係合し、仏壇１の下面位置に横渡されて仏壇１を吊り下げる吊り下げ手段である吊り上げベルト４０と、両スライドブロック２３に仏壇１の重量よりも大きい付勢力を付与することにより両スライドブロック２３を所定の高さまで強制的に上昇させることができるとともに、付勢力を弱めることにより両スライドブロック２３を所定の高さまで下降させることができる油圧シリンダ２６及び油圧ポンプ１１等からなるスライドブロック移動手段と、２本の支柱２０間に仏壇１を略水平状態で移動させて搬入可能な直線状の搬入コンベア５０及び曲線状の搬入コンベア６０とを備えている。
【００４４】
したがって、本実施例の仏壇据付装置は、上端部２０ａを上部横渡ステイ３０で連結した２本の支柱２０を仏壇据付場所に据付対象である仏壇１の横幅よりも多少大きな間隔を隔てて略垂直状態に載置し、搬入コンベア５０，６０で仏壇１を前記２本の支柱２０間に搬入し、仏壇１の下面位置に横渡した吊り上げベルト４０を各支柱２０の両スライドブロック２３に係合させてから、油圧シリンダ２６及び油圧ポンプ１１で両スライドブロック２３を強制的に上昇させ、仏壇を仏壇載置台等の上面よりも高い位置まで上昇させて、搬入コンベア５０，６０を取外し、仏壇載置台等を仏壇据付場所に据付け、油圧シリンダ２６及び油圧ポンプ１１で両スライドブロック２３を下降させて仏壇１を仏壇載置台等の上まで下降させ、更に手動で両スライドブロック２３を下降させて吊り上げベルト４０を取外し、仏壇１の下面から吊り上げベルト４０を抜去ることにより、仏壇１を仏壇載置台等の上に載せた状態で仏壇据付場所に据付けることができる。
【００４５】
このため、重量物である仏壇１を仏間等の狭い据付場所に極めて容易に据付けることができ、しかも丁寧に据付けることができる。
【００４６】
特に、本実施例の仏壇据付装置では、上部横渡ステイ３０が２本の支柱２０の間隔に応じて伸縮可能なものであるから、上端部２０ａを上部横渡ステイ３０で連結した２本の支柱２０を据付対象である仏壇１の横幅等に応じた間隔で略垂直状態に載置できる。したがって、仏間等の仏壇据付場所の幅や、横幅の異なる仏壇１であっても容易に対処できるので、使用できる範囲が広い。
【００４７】
また、長さ調整が可能なベルト４１と、このベルト４１の両端に装着され各支柱２０の両スライドブロック２３に係止可能なフック４２と有する吊り上げベルト４０を使用することにより、据付対象である仏壇１の横幅等に応じてベルト４１の長さを適宜調整できるとともに、仏壇１の下面位置に容易に横渡すことができ、仏壇１の下面から抜去ることができる。しかもフック４２を両スライドブロック２３へ引掛けたり、外したりするだけで、吊り上げベルト４０を両スライドブロック２３に容易に着脱できるので、取扱いが極めて容易である。
【００４８】
さらに、一定の可動ストロークを有する油圧シリンダ２６に油圧ポンプ１１を介して圧油を漸次供給することによってスライドブロック２３を所定の速度で上昇させることができ、油圧ポンプ１１を介して油圧シリンダ２６の圧油を漸次抜くことによりスライドブロック２３を所定の速度で下降させることができる。したがって、両スライドブロック２３に係止させた吊り上げベルト４０で仏壇１を安定した状態で上昇させることができる。しかも両スライドブロック２３に係止させた吊り上げベルト４０で仏壇１を安定した状態で下降させることができる。このため、仏壇１を極めて適正な速度で上昇及び下降できるので、結果的に仏壇１を丁寧に取扱うことができる。
【００４９】
加えて、搬入コンベアが仏壇１を直線状に搬入可能な搬入コンベア５０と、曲線状に搬入可能な搬入コンベア６０とに分割されており、仏壇据付場所の一方が壁等の障害物となっている場合にも、曲線状の搬入コンベア６０を使用することにより、仏壇１を容易に搬入コンベア６０に乗せることができ、搬入作業が容易にできる。また、各搬入コンベア５０，６０の脚部材５３，６３の下端部５３ｃ，６３ｃに高さ調整台座５６，６６が装着されており、脚の長さ調整が可能であることにより、仏壇載置台等の高さに応じて各搬入コンベア５０，６０の高さを適宜調整できるので、床面に多少の高低差があっても、これを吸収することができる。したがって、仏壇設置場所の周囲の環境状態、仏壇載置台等の高さ等が各々相違する場合にも、容易に対処できるので、使用範囲が広い。更に、各搬入コンベア５０，６０の脚部材５３，６０が折畳可能な構造となっており、脚を折畳んだ状態で搬入コンベア５０，６０を持運ぶことができるので、持運びが容易であり、仏壇１の据付作業が容易になる。
【００５０】
ところで、上記実施例では、支柱２０及び上部横渡ステイ３０にアルミニュウムの型材を使用した昇降装置１０について説明したが、必しもアルミニュウムの型材に限定されるものではなく、他の素材を使用しても構わない。しかしながら、持運びが容易にできるように、アルミニュウム等の軽量金属を使用するのが好ましい。
【００５１】
また、上部横渡ステイ３０として、第１棒部材３１と第２棒部材３２とが連結板３５を介してスライド移動可能なものについて説明したが、上記以外の伸縮構造を採用しても構わない。しかしながら、製造原価を低下させるためにも、極力簡易な構成を採用するのが好ましい。
【００５２】
さらに、仏壇１を吊り下げる吊り下げ手段として、吊り上げベルト４０を使用したが、網状のものや、シート状のものでもよく、要するに、スライドブロック２３に着脱可能であり、仏壇１の下面位置に横渡されて仏壇１を吊り下げることができればよい。特に、仏壇１を安定して吊り下げることができ、取外す場合に、仏壇１の下面から容易に抜去ることができるものが好ましい。
【００５３】
なお、上記実施例では、スライドブロック移動手段として、油圧ポンプ１１及び油圧シリンダ２６を使用する昇降装置１０について説明したが、この他にも空気圧等を利用したスライドブロック移動手段としてもよい。また、仏壇１を直線状に搬入可能な搬入コンベア５０と、曲線状に搬入可能な搬入コンベア６０を各々１つずつを組合わせた搬入コンベアを使用する場合について説明したが、更に複数の搬入コンベアを適宜組合わせて使用してもよい。
【００５４】
【発明の効果】
以上のように、請求項１の発明の仏壇据付装置は、２本の支柱と、上部横渡ステイと、スライドブロックと、吊り下げ手段と、スライドブロック移動手段と、搬入コンベアとからなる簡易な構成で、仏壇を仏間等の比較的狭い据付場所であっても、極めて容易に、しかも丁寧に据付けることができる。
【００５５】
請求項２の発明の仏壇据付装置は、上部横渡ステイが２本の支柱の間隔に応じて伸縮可能なことにより、上端を上部横渡ステイで連結した２本の支柱を据付対象である仏壇の横幅等に応じた間隔で略垂直状態に載置できるので、仏間等の仏壇据付場所の幅や、横幅の異なる仏壇であっても容易に対処でき、使用範囲が広い。
【００５６】
請求項３の発明の仏壇据付装置は、仏壇の横幅等に応じてベルトの長さを調整でき、仏壇の下面位置に容易に横渡すことができ、仏壇の下面から抜去ることができ、しかも両スライドブロックへの着脱が容易にできるので、取扱いが極めて容易である。
【００５７】
請求項４の発明の仏壇据付装置は、油圧シリンダに油圧ポンプを介して圧油を漸次供給することによってスライドブロックを所定の速度で上昇させることができ、仏壇を安定した状態で上昇させることができるとともに、前記油圧ポンプを介して前記油圧シリンダの圧油を漸次抜くことにより仏壇を所定の速度で下降させることができ、仏壇を安定した状態で下降させることができるので、仏壇を極めて適正な速度で上昇及び下降でき、仏壇を丁寧に取扱うことができる。
【００５８】
請求項５の発明の仏壇据付装置は、仏壇を直線状に搬入可能なコンベアと、曲線状に搬入可能なコンベアとの２種類に分割されており、仏壇据付場所の一方が壁等の障害物となっている場合にも、仏壇を搬入し易く、また、各コンベアの脚の長さ調整が可能であり、仏壇載置台等の高さに応じて各コンベアの高さを調整できるので、仏壇設置場所の周囲の環境状態、仏壇載置台等の高さ等が各々相違する場合にも、容易に対処でき、使用範囲が広い。更に、各コンベアの脚が折畳可能なことにより、脚を折畳んだ状態で搬入コンベアを持運ぶことができるので、持運びが容易になる。
【図面の簡単な説明】
【図１】本発明の一実施例である仏壇据付装置の全体構成を示す正面図である。
【図２】本発明の一実施例である仏壇据付装置の全体構成を示す側面図である。
【図３】本発明の一実施例である仏壇据付装置の全体構成を示す平面図である。
【図４】本発明の一実施例である仏壇据付装置の昇降装置を示す正面図である。
【図５】本発明の一実施例である仏壇据付装置の昇降装置を示す側面図である。
【図６】図５の昇降装置のＡ−Ａ断面を示す拡大断面図である。
【図７】昇降装置の上部横渡ステイを示し、（ａ）はその拡大平面図であり、（ｂ）はその拡大正面図である。
【図８】図７の上部横渡ステイのＢ−Ｂ断面及びＣ−Ｃ断面を示す拡大断面図である。
【図９】本発明の一実施例である仏壇据付装置の昇降装置の油圧系統を示す油圧回路図である。
【図１０】本発明の一実施例である仏壇据付装置の搬入コンベアを示し、（ａ）はその側面図であり、（ｂ）はその正面図である。
【図１１】搬入コンベアの脚部材の折畳動作途中を示す拡大側面図である。
【符号の説明】
１    仏壇
１０    昇降装置
１１    油圧ポンプ
１６    油圧ホース
２０    支柱
２３    スライドブロック
２６    油圧シリンダ
２６ａ  可動シャフト
３０    上部横渡ステイ
３１    第１棒部材
３２    第２棒部材
３３    連結キャップ
３５    連結板
４０    吊り上げベルト
４１    ベルト
４２    フック
４３    バックル
５０，６０    搬入コンベア
５１，６１    フレーム
５２，６２    円筒状ころ
５３，６３    脚部材
５６，６６    高さ調整台座
【図１】
0003657653.tif 000002
【図２】
0003657653.tif 000003
【図３】
0003657653.tif 000004
【図４】
0003657653.tif 000005
【図５】
0003657653.tif 000006
【図６】
0003657653.tif 000007
【図７】
0003657653.tif 000008
【図８】
0003657653.tif 000009
【図９】
0003657653.tif 000010
【図１０】
0003657653.tif 000011
【図１１】
0003657653.tif 000012